(57)【要約】      （修正有）【課題】様々な性状の段ボールシートに対して、高い精度で正確な位置に罫線を入れることができ、製造される段ボール箱の不良率を低減できる押罫部材を提供する。【解決手段】押罫部１１の表面に、頂部凸条１２及びその両側に並行する複数本の側部凸条１３が押罫部１１の幅方向に並んで長さ方向に延びるように形成されると共に、これらの間に段ボールシートへの押圧方向である高さ方向に窪んだ凹溝１４が形成され、頂部凸条１２の頂部がその両側の側部凸条１３の頂部に比較して段ボールシートへの押圧方向に最も突出して、頂部凸条１２と側部凸条１３の頂部が全体として山形状の凸形を形成する押罫部材において、頂部凸条１２は、押罫部１１の幅方向中央寄りに２本以上並んで長さ方向に延びているものとする。【選択図】図４
2019055533.tif 000002
【特許請求の範囲】
【請求項１】
段ボールシートに押圧により折曲用の罫線を入れる押罫部(11)の表面に、頂部凸条(12)及びその両側に並行する複数本の側部凸条(13)が押罫部(11)の幅方向に並んで長さ方向に延びるように形成されると共に、これらの間に段ボールシートへの押圧方向である高さ方向に窪んだ凹溝(14)が形成され、
前記頂部凸条(12)の頂部がその両側の側部凸条(13)の頂部に比較して段ボールシートへの押圧方向に最も突出して、前記頂部凸条(12)と側部凸条(13)の頂部が全体として山形状の凸形を形成する押罫部材(10)において、
前記頂部凸条(12)は、前記押罫部(11)の幅方向中央寄りに２本以上並んで長さ方向に延びるように形成されていることを特徴とする押罫部材。
【発明の詳細な説明】
【技術分野】
【０００１】
この発明は、段ボールシートに折曲用の罫線を入れる押罫部材に関するものである。
【背景技術】
【０００２】
波状の中芯紙の両側にライナー紙を貼り合わせた段ボールシートには、段状に形成された波の高さ、波の形状、厚さ、品質等が相違する中芯紙と、厚さ、品質等が相違するライナー紙との組み合わせによって様々な性状を有する数多くの種類が存在し、硬さが合紙程度に硬いものもある。
【０００３】
例えば、一般的な中芯紙の波形の高さは、Ａフルートの場合５ｍｍ、Ｃフルートの場合４ｍｍ、Ｂフルートの場合３ｍｍ、Ｅフルートの場合１．５ｍｍ、Ｆフルートの場合０．６ｍｍ、Ｇフルートの場合０．５ｍｍであり、一般的な波形のピッチは、Ａフルートにおける約８．５ｍｍからＧフルートにおける約１．８ｍｍの範囲である。
【０００４】
また、段ボールシートには、波形の中芯紙を一層とする両面段ボールシート、これらのいずれかを組み合わせて二層とする複両面段ボールシート、これらのいずれかを組み合わせて三層とする複々両面段ボールシート（トリプルウォールシート）等がある。このような段ボールシートの一般的な厚さは、使用される紙の品質によっても異なるが、中芯紙の波形の高さに複数枚のライナー紙の厚さを加えた約０．５ｍｍ〜１５ｍｍとなっている。
【０００５】
そして、段ボールシートは、厚くなるに従って、弾性や剛性が大きくなる傾向にあるので、押圧による罫線を入れ難くなる。また、複両面段ボールシートや複々両面段ボールシートの場合、各層での空間部を有する中芯紙の波形状のどの部位が互いに合致して段ボールシートが形成されているのかは分からない。
【０００６】
このような多種類の段ボールシートを打ち抜くことによって、例えば、図８に示すような段ボール箱形成用のブランクＡ１を形成する場合、木製の基盤にブランクＡ１の輪郭形成用の外形打抜刃を取り付けると共に、その外形打抜刃の内側に、上記ブランクＡ１の縦罫線Ｌ１及び横罫線Ｌ２を罫入れする押罫部材を取り付けて抜型を形成し、その抜型によって段ボールシートに罫線を入れつつ打ち抜くようにしている。また、ロール状の罫入ロールを備えた罫線形成装置で罫線を形成する場合もある。
【０００７】
ここで、ブランクＡ１の縦罫線Ｌ１は、段ボールシートＡの波形の段状に成形された中芯紙Ｓの段目Ｗに縦方向にほぼ平行し、一方、横罫線Ｌ２は上記中芯紙Ｓの段目Ｗと直交する横方向に延びている。
【０００８】
上記のような縦罫線Ｌ１及び横罫線Ｌ２を段ボールシートＡに入れる押罫部材として、図９に示すようなものが一般的に使用されている。この押罫部材５０は、金属製の帯板材の一方の端縁部を押罫部５１とし、その押罫部５１で段ボールシートＡの一面を押し込むことにより、中芯紙Ｓの波形状部を押し潰して、溝状の縦罫線Ｌ１及び横罫線Ｌ２を形成するものである。
【０００９】
押罫部材５０の帯板材は、通常、上下方向の高さ寸法が２０数ｍｍ程度とされ、両側面間の板厚である幅寸法については、段ボールシートの性状に応じて、０．５ｍｍ〜１０ｍｍのものが使い分けられる。
【００１０】
ところで、図９に示す押罫部材５０は、押罫部５１の表面が断面形状を凸形とする円弧状で全長にわたり凹凸のない滑らかな形状となっており、一方、段ボールシートＡは、押圧力に抗して復元しようとする大きな弾性を有することから、押罫部材５０の押罫部５１により段ボールシートＡの表面を厚さ方向に押し込んで罫線Ｌ１、Ｌ２を形成する際、段ボールシートＡの表面に対する押罫部５１の押圧力が分散し、段ボールシートＡの反発に負けて、鮮明な罫線Ｌ１、Ｌ２を入れることができない場合が多い。
【００１１】
また、特に、中芯紙Ｓの段目Ｗに平行する縦罫線Ｌ１を形成する場合には、中芯紙Ｓの波形状のどの部位を押罫部５１で押し潰すことになるのかは分からないために、押し潰される形状もまちまちであるので、形成される縦罫線Ｌ１の鮮明度が異なることとなり、段ボールシートＡを高精度に折り曲げることができない場合がある。
【００１２】
さらに、押罫部５１の表面が凹凸を有さない滑らかな形状であることに起因して、押罫部５１で押し潰す中芯紙Ｓの部位によっては、押罫部５１の表面が段ボールシートＡの表面に食い込むに従い、段ボールシートＡの表面が押罫部５１の表面上で滑って、縦罫線Ｌ１に対し左右方向にずれ動くことがあるので、段ボールシートＡの表面上の予定した正確な位置に罫線を形成することができなかったり、形成される罫線に蛇行が生じたりするという問題が発生する。
【００１３】
ここで、図８に示すブランクＡ１は、パネルＰ１とパネルＰ４とが、段目Ｗに平行する３本の縦罫線Ｌ１のうち、両側２本の縦罫線Ｌ１に沿って折り曲げられ、一側のパネルＰ１に連続して形成された継代片Ｐ５と他側のパネルＰ４の端縁部とが重ね合わされ、その重なり部が接着されることにより、偏平に折り畳まれた段ボール箱とされる。
【００１４】
このとき、縦罫線Ｌ１での折曲精度が悪い場合、一側のパネルＰ１と他側のパネルＰ４に相対的な傾きが生じたり、対角位置の稜部をなす縦罫線Ｌ１の間の寸法に誤差が生じたりして、精度の高い段ボール箱を形成することができず、周壁を角筒状に開箱した際、歪んだ形状の箱体となることがあり、このような段ボール箱は不良品となる。
【００１５】
そのような不都合を解消して精度の高い折り曲げが得られるようにするため、本件特許出願と出願人及び発明者が同一である出願に係る下記特許文献１においては、図１０に示すような押罫部材６０が提案されている。この押罫部材６０では、段ボールシートを押圧する押罫部６１に、図示の方向において、幅方向の中央に位置し頂部が最も高くなっている１本の頂部凸条６２と、この頂部凸条６２を挟んで押罫部６１の幅方向の両側にそれぞれ並行し頂部が押罫部６１の側部へかけて漸次低くなっている複数本の側部凸条６３とが設けられて、押罫部６１の表面が凹凸形状に形成されている。なお、頂部凸条６２及び側部凸条６３は、押罫部材６０の幅方向の中心線ｌ上の一点から放射状に突出している。
【００１６】
そして、押罫部６１の全体は、頂部凸条６２及び側部凸条６３の頂部が前記中心線ｌ上の一点を中心とし、外方向に向けて山形状をなす円弧状の仮想曲線Ｃに内側から接することによって、頂部凸条６２の頂部を押罫部６１の頂部として外方向に向けた山形状の凸形に形成されている。また、頂部凸条６２とその両側の側部凸条６３の間、及び隣り合う側部凸条６３同士の間には、高さ方向に窪んだ凹溝６４が形成されて、頂部凸条６２及び側部凸条６３のそれぞれの頂部と凹溝６４の底部との間の側面が傾斜面となっている。
【００１７】
なお、この押罫部材６０の押罫部６１における凹溝６４の底部からの側部凸条６３の高さは０．０５ｍｍ〜１．０ｍｍの範囲であって、０．１ｍｍ程度が好適とされ、比較的低いものとなっている。また、下記特許文献１には、中央の１本の頂部凸条６２のみを仮想曲線Ｃから少し突出させた実施形態も記載されている。
【００１８】
このような押罫部材６０で罫線を入れる加工を行うと、押罫部６１で押圧された段ボールシートの表面は、頂部凸条６２の頂部により最初に押し込まれ、押し潰されながらその両側の傾斜面に沿ってスムーズに凹溝６４に入り込み、さらにその両側の側部凸条６３に順次当接すると共に、各側部凸条６３の側面の傾斜面に沿いつつ、隣り合う側部凸条６３の間の凹溝６４にスムーズに入り込んで、押罫部６１の表面に波状に沿うことになる。このため、段ボールシートの表面が押罫部６１の表面上で頂部凸条６２の両側方向へずれ動く現象がある程度効果的に抑制される。
【００１９】
また、本件特許出願と出願人及び発明者が同一である出願に係る下記特許文献２においては、図１１に示すように、頂部凸条６２の両側のそれぞれに、頂部凸条６２に交差する方向に延びる複数の交差溝６５が押罫部６１の長さ方向に間隔をあけて設けられ、この交差溝６５により、頂部凸条６２の両側に位置する側部凸条６３が分断された形状となっているものが記載されている。
【００２０】
このような交差溝６５を設けておくと、押圧された段ボールシートの表面が交差溝６５にも入り込むので、段ボールシートの表面が押罫部６１の表面上で頂部凸条６２の長さ方向へずれる現象も抑制され、罫線の加工精度をさらに高めることができる。
【先行技術文献】
【特許文献】
【００２１】
【特許文献１】特許第５９０２３５３号公報
【特許文献２】特許第５８９４３４３号公報
【発明の概要】
【発明が解決しようとする課題】
【００２２】
しかしながら、図１０及び図１１に示すような押罫部材６０では、頂部凸条６２が１本のみであることから、Ａフルートのように中芯紙の波形のピッチが大きい段ボールシートにおいて、中芯紙の段目に並行する縦罫線Ｌ１（図８参照）を形成する際、中芯紙の波形の隣り合う頂部間に頂部凸条６２が入り込んで、中芯紙を波形に影響されずに強く押し潰すことができない場合がある。
【００２３】
また、ライナー紙や中芯紙の紙質が硬い場合や、中芯紙の段形状の両側面がその頂部と底部との間で急勾配となっている場合等においては、頂部凸条６２による押潰作用が十分に得られない恐れがある。特に、縦罫線Ｌ１（図８参照）の場合、上記のような理由により十分な押潰作用が得られなければ、段ボールシートを正確な位置において明瞭かつきれいな直線状に折り曲げられないという問題がある。
【００２４】
さらに、１本の頂部凸条６２で複両面段ボールシートや複々両面段ボールシートのように厚みの大きい段ボールシートに罫線を形成する際には、正確かつ明瞭に折り曲げられるようにするため、頂部凸条６２を段ボールシートに深く押し込むことになるが、このような場合、１本の頂部凸条６２で段ボールシートを深く押し込むと、段ボールシートが破れてしまうという問題が生じる。
【００２５】
そこで、この発明は、様々な性状の段ボールシートに対して、破れを生じさせることなく、高い精度で正確な位置に明瞭かつきれいな直線状の罫線を入れることができ、段ボールシートを罫線の幅方向中央部で正確かつ容易に直線状に折り曲げられるようにして、製造される段ボール箱の不良率を低減できる押罫部材を提供することを課題とする。
【課題を解決するための手段】
【００２６】
上記のような課題を解決するため、この発明は、段ボールシートに押圧により折曲用の罫線を入れる押罫部の表面に、頂部凸条及びその両側に並行する複数本の側部凸条が押罫部の幅方向に並んで長さ方向に延びるように形成されると共に、これらの間に段ボールシートへの押圧方向である高さ方向に窪んだ凹溝が形成され、
前記頂部凸条の頂部がその両側の側部凸条の頂部に比較して段ボールシートへの押圧方向に最も突出して、前記頂部凸条と側部凸条の頂部が全体として山形状の凸形を形成する押罫部材において、
前記頂部凸条は、前記押罫部の幅方向中央寄りに２本以上並んで長さ方向に延びるように形成されているものとしたのである。
【発明の効果】
【００２７】
この発明に係る押罫部材は、頂部凸条を２本以上並行するように設けたので、段ボールシートが厚く中芯紙の波形のピッチが大きいものである場合や、硬い紙質のものである場合のほか、波状の中芯紙を２層とする複両面段ボールシートや３層とする複々両面段ボールシートのように厚いものである場合であっても、段ボールシートを最初に２本以上の頂部凸条によりある程度の幅をもって強く押し潰し、次いで側部凸条により順次押し潰すので、段ボールシートを破ることなく、鮮明かつ確実に罫線を入れることができる。
【００２８】
そして、段ボールシートが罫線の幅方向中央部で正確かつ容易にきれいな直線状に折り曲げられるようになり、材料の段ボールシートの性状に関わらず、製造される段ボール箱の不良率を低減することができる。
【図面の簡単な説明】
【００２９】
【図１】この発明に係る押罫部材を取り付けたプラテンダイカッタによる（１Ａ）罫入前の状態を示す概略断面図、（１Ｂ）罫入状態を示す概略断面図
【図２】同上の罫入状態の拡大断面図
【図３】この発明の第１実施形態に係る押罫部材の押罫部を示す斜視図
【図４】同上の断面輪郭を示す概略図
【図５】上記第１実施形態に交差溝が形成された第２実施形態の押罫部材の押罫部を模式的に示す（５Ａ）平面図、（５Ｂ）（５Ａ）のＸ−Ｘ線に沿った断面図
【図６】上記各実施形態に係る押罫部材のロータリーダイカッタへの適用例を示す装置概略側面図
【図７】上記各実施形態に係る押罫部材の罫入ユニットへの適用例を示す装置概略側面図
【図８】段ボール箱形成用のブランクを示す図
【図９】従来の一般的な押罫部材を示す斜視図
【図１０】特許文献１に記載の押罫部材の押罫部の断面輪郭を示す図
【図１１】特許文献２に記載の押罫部材の押罫部を模式的に示す平面図
【発明を実施するための形態】
【００３０】
以下、この発明の実施形態を添付図面に基づいて説明する。
【００３１】
図１に示すように、この発明に係る押罫部材１０を使用するプラテンダイカッタは、波形状の中芯紙Ｓを一層とする両面の段ボールシートＡを支持するステンレス製のカッティングプレート１と、その上方に対向する罫入れ型２とが接離するものである。罫入れ型２は、木製の合板から成る基盤３にレーザー加工等によって溝状のスリット４を形成し、このスリット４に段ボール箱のブランクの輪郭を打ち抜く切刃（図示省略）と共に、押罫部材１０を圧入したものとなっている。この押罫部材１０により、図８に示すように、段目Ｗに並行する方向の縦罫線Ｌ１や、段目Ｗに直交する方向の横罫線Ｌ２等の罫線Ｌを段ボールシートＡに形成することになる。なお、上述のように、波形状の中芯紙Ｓには種々の寸法のものがあり、また、波形状は、その頂部と底部との間の側面が緩やかな傾斜のものもあれば、急な傾斜のものもあり、様々な形状がある。
【００３２】
押罫部材１０は、上下方向の高さ寸法が２０数ｍｍ程度、幅方向の寸法である両側面間の厚さが０．５ｍｍ〜１０ｍｍとされ、長さが適宜寸法とされた金属製の帯板材を素材としており、その帯板材の上下方向の一端部が押罫部１１とされている。そして、多様な段ボールシートＡの性状に応じて、適宜寸法に製作された押罫部材１０が使用される。
【００３３】
図３及び図４に押罫部１１が上方へ向いた状態で示すように、この発明の第１実施形態である押罫部材１０の押罫部１１の表面には、段ボールシートＡへの押圧方向へ向けて両側の相反する方向に傾斜した傾斜面によって先細状に突出する状態で、２本の頂部凸条１２が押罫部１１の幅方向中央寄りに並んで長さ方向に延びるように形成され、その両側に複数本の側部凸条１３が先細状になるように相反する方向に傾斜した両側の傾斜面を備えて、押罫部１１の幅方向に並んで長さ方向に延びるように形成されている。そして、これらの頂部凸条１２及び側部凸条１３のそれぞれの間に、相反する方向に傾斜した両側の傾斜面によって押罫部材１０の高さ方向に窪んだ凹溝１４が形成されている。
【００３４】
このような構成により、縦罫線Ｌ１（図８参照）を形成する際には、頂部凸条１２と側部凸条１３が中芯紙Ｓの波形状の傾斜した側面を横切るように並んだ配置となる。
【００３５】
２本の頂部凸条１２は、図４に示すように、その頂部が同じ高さとなるように、両側の側部凸条１３の頂部よりも、押罫部材１０の高さ方向、すなわち段ボールシートＡへの押圧方向へ最も突出し、後述の罫入れ加工時に、頂部凸条１２の頂部が段ボールシートＡに最初に当接するようになっている。このように、押罫部１１は全体として、頂部凸条１２及び側部凸条１３の頂部が山形状の凸形をなすように配置された形状とされている。
【００３６】
両側の側部凸条１３は、その頂部が段ボールシートＡへの押圧方向とは逆方向（図４に示す方向では下方）へ向かって押罫部材１０の側面方向である外側へ傾斜した勾配を有する円弧状の仮想線Ｃ１に内側から接するように放射状に配置されている。そして、両側の側部凸条１３の頂部は、外側へ向かうに従って漸次低くなっている。
【００３７】
２本の頂部凸条１２の間の凹溝１４は、溝底部を結ぶ仮想線Ｃ２の中間部分に接し、頂部凸条１２と側部凸条１３の間の凹溝１４と、側部凸条１３同士の間の凹溝１４の底部とは、中間部分に連続する仮想線Ｃ２の円弧状部分に外側から接している。
【００３８】
頂部凸条１２のその両側の凹溝１４に対する突出量αは、側部凸条１３の側方の凹溝１４の底部からの突出量βよりも大きくなっている。
【００３９】
なお、側部凸条１３の突出量βは、０．０５ｍｍ〜１．０ｍｍの範囲が好ましく、突出量αは、突出量βよりも大きければよい。突出量α、βの実際の寸法は、段ボールシートＡの性状、押罫部材１０の幅寸法や形状によって適宜決めればよい。
【００４０】
また、この突出量α、βは、頂部凸条１２と側部凸条１３の頂部が押罫部１１の全体として山形状をなすような範囲で決めればよい。
【００４１】
また、２本の頂部凸条１２の間の凹溝１４は、後述の罫入れ加工時に、段ボールシートＡがその底部まで入り込む必要もないので、頂部凸条１２と側部凸条１３の間の凹溝１４や側部凸条１３同士の間の凹溝１４よりも浅くても問題ない。
【００４２】
そのほか、全ての頂部凸条１２の突出量αやこれらの間の凹溝１４の深さ、及び全ての側部凸条１３の突出量βやこれらの間の凹溝１４の深さは、それぞれ同一に揃えるのが好ましいが、厳密に揃える必要はなく、例えば、±０．５ｍｍ程度のずれは実質的に同一であると見なすことができるので、作用効果上の問題はない。このため、製造に際し、過剰な高精度を追求する必要がなく、コストを抑制することができる。
【００４３】
また、押罫部１１が全体として山形状の凸形をなすのであれば、両側のそれぞれの仮想線Ｃ１，Ｃ２は、図４に示す方向において、押罫部１１の外側に至るに従って漸次低くなるものであればよく、上述した円弧状のほか、例えば、曲率が変化するような曲線や、直線状であってもよい。
【００４４】
そして、頂部凸条１２及び側部凸条１３の各頂部は、段ボールシートＡに罫線Ｌを入れる際に、段ボールシートＡの破損を防止するため、それぞれ丸味を有するように面取りされ、それらの間の凹溝１４の底部も丸味を有する形状とされている。また、頂部凸条１２及び側部凸条１３の側面は、それらの頂部から凹溝１４の底部へ続く傾斜面とされ、押罫部１１の表面は滑らかな形状となっている。
【００４５】
なお、頂部凸条１２、側部凸条１３の頂部及び凹溝１４の底部の形状は、多角形状であってもよい。また、段ボールシートＡへの押圧方向へ最も突出している頂部凸条１２は、段ボールシートＡを最も強く押圧して破損させやすいので、その頂部を面取りしておくことが好ましいが、側部凸条１３は、頂部凸条１２ほどは段ボールシートＡを強く押し込まないので、必ずしもその頂部を面取りしておく必要はない。
【００４６】
上記のような押罫部材１０により、図１に示すようなプラテンダイカッタで段ボールシートＡに罫線Ｌを入れる際には、図１（１Ａ）に示すように、押罫部材１０の押罫部１１が下向きになるように罫入れ型２をプラテンダイカッタに装着して、罫入れ型２をカッティングプレート１へ接近させる。
【００４７】
この加工において、図１（１Ｂ）及び図２に示すように、押罫部１１で段ボールシートＡを押し込む際、段ボールシートＡは、横方向へのずれ動きが確実に防止されるように、最も突出した頂部を有する２本の頂部凸条１２により、最初に罫線Ｌの中央寄りの位置である程度の幅をもって強く押し潰される。この際、段ボールシートＡは、２本の頂部凸条１２間で相反する方向に傾斜して向かい合う傾斜面に沿って凹溝１４に入る。
【００４８】
その後、段ボールシートＡは、２本の頂部凸条１２のそれぞれの外側の傾斜面に沿って隣り合う側部凸条１３との間の凹溝１４にスムーズに入り込み、さらにその両側の側部凸条１３に順次当接すると共に、各側部凸条１３の相反する方向に傾斜する両側の傾斜面に沿いつつ、隣り合う側部凸条１３の間の凹溝１４にスムーズに入り込んで、押罫部１１の表面に波状に沿う。
【００４９】
これにより、段ボールシートＡが厚く中芯紙の波形のピッチが大きい場合や、紙質が硬く剛性が高い場合であっても、また、波状の中芯紙Ｓを３層とする複々両面段ボールシートのように相当厚いものである場合であっても、罫入れ加工時における段ボールシートＡの横方向へのずれ動きが確実に防止されて、正確な位置で幅方向の中央部が最も強く押し潰され、その両側の部分が漸次弱く押し潰された鮮明な縦罫線Ｌ１や横罫線Ｌ２（図８参照）等の罫線Ｌが形成され、例え、罫線を深く入れたとしても、段ボールシートＡが破れることもない。仮に、このような条件の段ボールシートＡを頂部凸条１２が１本の押罫部材１０で押圧すると、段ボールシートＡが破れてしまう恐れがある。
【００５０】
特に、縦罫線Ｌ１を形成する際に、２本の頂部凸条１２及び複数本の側部凸条１３が中芯紙Ｓの段形状の側面を横切る方向に並んで配置されているので、中芯紙Ｓの段形状の側面が急勾配で傾斜していても、いずれかの頂部凸条１２及び側部凸条１３が中芯紙Ｓの段形状の側面を強く押圧することになり、中芯紙Ｓの波形部が十分に押し潰される。
【００５１】
このように、段ボールシートＡを、材料の紙質の強弱や中芯紙Ｓの波形の高さやピッチに関わらず、また両面段ボールシート、複両面段ボールシート又は複々両面段ボールシートといった構造や紙質の強弱に関らず、さらに、形成する罫線Ｌが縦罫線Ｌ１であるか横罫線Ｌ２（図８参照）であるかに関らず、表面に過剰な張力を作用させることなく十分に押し潰して、正確な位置に鮮明な罫線Ｌを入れることができる。
【００５２】
そして、段ボールシートＡが罫線Ｌの幅方向の中央部で正確かつ容易に直線状に折り曲げられるようになり、製造される段ボール箱の不良率を低減することができる。
【００５３】
なお、頂部凸条１２の本数が多すぎると、罫線Ｌの折り曲げの中心部が太くなってぼけてしまい、却って正確な位置での折り曲げができなくなる恐れがあるので、頂部凸条１２の本数は、複数本とする場合でも、２本程度が好ましいが、段ボールシートＡが非常に厚いものである場合等においては、３本以上としてもよく、段ボールシートＡの性状に応じて、適宜決定すればよい。
【００５４】
また、側部凸条１３の本数が多い程、側部凸条１３とこれに続く凹溝１４による凹凸部への段ボールシートＡの接触面積が大きくなるので、段ボールシートＡの横ずれをより確実に防止することができるが、側部凸条１３の本数が多すぎると、小さな幅寸法の押罫部材１０に多数本の側部凸条１３を形成することになるから、押罫部材１０の製造に手間がかかり、コストが上昇することになる。さらに、段ボールシートＡの硬くて強い表面が上記凹凸部に沿い難くなり、正常な形状の罫線が形成されなくなる恐れがある。従って、側部凸条１３の本数は、押罫部材１０の幅寸法、また段ボールシートＡの性状等によって、適宜決めればよい。
【００５５】
また、２本の頂部凸条１２は、押罫部材１０の高さ方向の中心軸線に平行するように段ボールシートＡへの押圧方向へ突出し、側部凸条１３は、押罫部材１０の高さ方向の中心軸線のある点から段ボールシートＡへの押圧方向へ放射状に突出しているが、頂部凸条１２と側部凸条１３の頂部の高さの関係を上述のように維持しつつ、２本の頂部凸条１２を押罫部材１０の高さ方向の中心軸線のある点から段ボールシートＡへの押圧方向へ放射状に突出させてもよく、側部凸条１３を押罫部材１０の高さ方向の中心軸線に平行するように段ボールシートＡへの押圧方向へ突出させてもよい。
【００５６】
なお、図示のものでは、押罫部１１の表面において、幅方向の中央寄り部分に頂部凸条１２が位置しているが、罫線の中央の位置で折り曲げる必要のない場合には、頂部凸条１２は、所定の折曲位置に対応させて左右いずれかの方向へずれていてもよく、頂部凸条１２を挟んだ左右が非対称の幅となっていてもよい。
【００５７】
また、頂部凸条１２を挟んだ側部凸条１３の本数が揃っているものを例示しているが、頂部凸条１２及び側部凸条１３の頂部が押罫部１１の全体として山形状の凸形をなすような配置となっておれば、左右の側部凸条１３の本数がそれぞれ異なっていてもよい。
【００５８】
特に、段ボールシートＡの折り曲げに際し、罫線Ｌの一側部を固定し、他側部を揺動させる場合や、両端部を異なる折曲速度で折り曲げる場合には、段ボールシートＡが罫線Ｌに沿って均等に折れ曲がるように、左右の側部凸条１３の本数を変えておくとよい。
【００５９】
また、押罫部１１の表面には、２本の並行する頂部凸条１２の両側に、階段状の段部を設けて、各段部の表面に複数本の側部凸条１３をそれぞれ並んで形成し、頂部凸条１２及び側部凸条１３のそれぞれの間に凹溝１４を形成して、押罫部１１の全体として山形状の凸形をなすようにしてもよい。
【００６０】
また、２本の並行する頂部凸条１２の両側に、複数本の側部凸条１３の頂部が水平状に並んだ平坦配置部を形成し、その外側に側部凸条１３の頂部が段ボールシートへの押圧方向とは逆方向へ傾斜した仮想線に接するように配置された傾斜配置部を形成し、頂部凸条１２及び側部凸条１３のそれぞれの間に凹溝１４を形成して、押罫部１１の全体として山形状の凸形をなすようにしてもよい。
【００６１】
さらに、上記第１実施形態を基本とした図５に示す第２実施形態のように、押罫部１１は、２本の頂部凸条１２の両側のそれぞれに、頂部凸条１２に交差する方向に延びる複数の交差溝１５が押罫部１１の長さ方向に間隔をあけて設けられ、交差溝１５により頂部凸条１２の両側の側部凸条１３が分断された形状となるようにしてもよい。
【００６２】
このような交差溝１５を設けておくと、段ボールシートＡを押圧する際、段ボールシートＡの表面が交差溝１５へ入り込むために、押罫部１１と段ボールシートＡの接触面が大きくなって、押罫部材１０の長さ方向への段ボールシートＡのずれ動きが防止されると共に、段ボールシートＡの表面が頂部凸条１２に接近する方向へ寄せられて、２本の頂部凸条１２により強く押し潰される。
【００６３】
このため、段ボールシートＡを折り曲げて段ボール箱を製造する場合、罫線Ｌにおける折曲位置の精度がさらに向上し、製造時の不良発生率を著しく低減することができる。また、短い交差溝１５によって、側部凸条１３の少なくとも１本を分断するようにしても、同様の作用効果が得られる。
【００６４】
なお、押罫部１１の２本の頂部凸条１２を挟んだ両側の交差溝１５は、頂部凸条１２の長さ方向における位置が揃っている必要はなく、千鳥状にずれていてもよい。また、交差溝１５が頂部凸条１２に対して傾斜したものを例示しているが、交差溝１５は、頂部凸条１２に対して直交する方向に延びるものであってもよい。
【００６５】
ところで、上記各実施形態では、プラテンダイカッタに装着される罫入れ型の押罫部材１０について例示したが、上記各実施形態のような押罫部１１は、図６に示すように、ロータリーダイカッタに装着される罫入れ型の幅が大きくてロール状の押罫部材１０に適用してもよい。
【００６６】
ロータリーダイカッタは、アンビルロール２０に対向配置されたダイロール２１の外周に沿って半円弧状で幅の大きい罫入れ型２２を装着し、罫入れ型２２の円弧状に湾曲した木製の幅広の基盤２３に切刃２４と上記各実施形態と同様の幅寸法（０．５ｍｍ〜１０ｍｍ）を有する所定長さの円弧状の押罫部材１０とを固設しておき、アンビルロール２０とダイロール２１の間に段ボールシートＡを送り込んで切刃２４により所定形状に打ち抜くと共に、押罫部材１０の押罫部１１により段ボールシートＡに罫入加工を施すものである。
【００６７】
また、例えば、フォルダグルアに使用される図７に示すような罫入ユニットの罫入ロールを、上記各実施形態のような幅寸法（０．５ｍｍ〜１０ｍｍ）を有する押罫部１１を備えた押罫部材１０としてもよい。
【００６８】
この罫入ユニットは、段ボールシートＡを矢印方向に送る上下一対の搬送ローラ３０の下流側に、互いに逆方向に回転する一対の回転軸３１、３２を上下に配置し、上側の回転軸３１に幅の小さい罫入ロールとして押罫部材１０を取り付け、下側の回転軸３２に凹凸のない滑らかな表面を有する受ロール３３を取り付け、押罫部材１０と受ロール３３の間に送り込まれた段ボールシートＡに罫入加工を施すものである。
【００６９】
このように、段ボールシートＡを送りつつ、回転に伴い段ボールシートＡに罫入加工を施す押罫部材１０においても、押罫部１１を上記各実施形態のような形状とすることにより、正確な位置に鮮明な罫線を入れることができ、製造される段ボール箱の不良率を低減することができる。
【符号の説明】
【００７０】
Ａ  段ボールシート
Ａ１  ブランク
Ｌ  罫線
Ｌ１  縦罫線
Ｌ２  横罫線
Ｓ  中芯紙
Ｗ  段目
１  カッティングプレート
２  罫入れ型
３  基盤
４  スリット
１０  押罫部材
１１  押罫部
１２  頂部凸条
１３  側部凸条
１４  凹溝
１５  交差溝
２０  アンビルロール
２１  ダイロール
２２  罫入れ型
２３  基盤
２４  切刃
３０  搬送ローラ
３１，３２  回転軸
３３  受ロール
【図１】
2019055533.tif 000003
【図２】
2019055533.tif 000004
【図３】
2019055533.tif 000005
【図４】
2019055533.tif 000006
【図５】
2019055533.tif 000007
【図６】
2019055533.tif 000008
【図７】
2019055533.tif 000009
【図８】
2019055533.tif 000010
【図９】
2019055533.tif 000011
【図１０】
2019055533.tif 000012
【図１１】
2019055533.tif 000013
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
幅寸法が０．５ｍｍ〜１０ｍｍである１本の金属製帯板材のみから成り、
段ボールシートに押圧により折曲用の罫線を入れる押罫部(11)の表面に、頂部凸条(12)及びその両側に並行する複数本の側部凸条(13)が押罫部(11)の幅方向に並んで長さ方向に延びるように延長方向が互いに交わることなく形成されると共に、これらの間に段ボールシートへの押圧方向である高さ方向に窪んだ凹溝(14)が形成され、
前記頂部凸条(12)の頂部がその両側の側部凸条(13)の頂部に比較して段ボールシートへの押圧方向に最も突出して、前記頂部凸条(12)と側部凸条(13)の頂部が全体として山形状の凸形を形成する押罫部材(10)において、
前記頂部凸条(12)は、その両側の側部凸条(13)の間に挟まれ、前記押罫部(11)の幅方向中央寄りに２本以上並んで長さ方向に延びるように延長方向が互いに交わることなく形成され、
最初に、前記頂部凸条(12)が罫線の中央寄りに幅をもってずれや破れを生じさせないように段ボールシートを強く押し潰し、次に、前記頂部凸条(12)に続き前記側部凸条(13)が段ボールシートを漸次弱く押し潰すようにしていることを特徴とする押罫部材。